(57)【要約】【課題】  印刷ジョブに記された印刷部数が予め設定された部数未満だと印刷出力しないようにして、少数部数の印刷ジョブを、間違って指定されたプリンタで印刷出力しないようにする画像形成装置および印刷依頼装置および印刷制御システムおよび印刷制御方法および送信制御方法を提供する。【解決手段】  プリンタ（プリンタＡ）２１において、メモリ２４に印刷を許可する印刷部数下限値を記憶し、制御部２３で、ＮＷＩ／Ｆ２２より受信した印刷ジョブに指定された印刷部数と印刷部数下限値とを比較して、当該印刷部数が該印刷部数下限値以上の場合には受信した印刷ジョブを印刷し、当該印刷部数が該印刷部数下限値未満の場合には受信した印刷ジョブを破棄するように構成する。【選択図】  図１
2007286819.tif 000002
【特許請求の範囲】
【請求項１】
印刷ジョブを受信して印刷を行う画像形成装置において、
印刷を許可する印刷部数下限値を記憶する記憶手段と、
受信した印刷ジョブに指定された印刷部数と前記記憶手段に記憶される印刷部数下限値とを比較する比較手段と、
前記比較手段により当該印刷部数が該印刷部数下限値以上の場合には受信した印刷ジョブを印刷し、当該印刷部数が該印刷部数下限値未満の場合には受信した印刷ジョブを破棄する印刷制御手段と
を具備することを特徴とする画像形成装置。
【請求項２】
前記記憶手段は、
前記印刷部数下限値を前記印刷ジョブの送信元情報に対応して記憶し、
前記比較手段は、
受信した印刷ジョブに指定された印刷部数と当該印刷ジョブに対応する印刷部数下限値とを比較する
ことを特徴とする請求項１記載の画像形成装置。
【請求項３】
前記送信元情報は、
当該印刷ジョブの作成者である
ことを特徴とする請求項２記載の画像形成装置。
【請求項４】
前記送信元情報は、
当該印刷ジョブを送信するコンピュータ名である
ことを特徴とする請求項２記載の画像形成装置。
【請求項５】
印刷ジョブの送信を行なう印刷依頼装置において、
印刷を許可する印刷部数下限値を記憶する記憶手段と、
送信する印刷ジョブに指定された印刷部数と前記記憶手段に記憶される印刷部数下限値とを比較する比較手段と、
前記比較手段により当該印刷部数が該印刷部数下限値以上の場合には当該印刷ジョブを送信し、当該印刷部数が該印刷部数下限値未満の場合には当該印刷ジョブを送信せずに印刷不可通知を行なう送信制御手段と
を具備することを特徴とする印刷依頼装置。
【請求項６】
前記記憶手段は、
前記印刷部数下限値を前記印刷ジョブの送信先情報に対応して記憶し、
前記比較手段は、
送信する印刷ジョブに指定された印刷部数と当該印刷ジョブの送信先情報に対応する印刷部数下限値とを比較する
ことを特徴とする請求項５に記載の印刷依頼装置。
【請求項７】
前記記憶手段は、
前記印刷部数下限値を前記印刷ジョブの作成者に対応して記憶し、
前記比較手段は、
送信する印刷ジョブに指定された印刷部数と当該印刷ジョブの作成者に対応する印刷部数下限値とを比較する
ことを特徴とする請求項５に記載の印刷依頼装置。
【請求項８】
前記記憶手段は、
前記印刷部数下限値を前記印刷ジョブの送信先と作成者との組み合わせに対応して記憶し、
前記比較手段は、
送信する印刷ジョブに指定された印刷部数と当該印刷ジョブの送信先と作成者との組み合わせに対応する印刷部数下限値とを比較する
ことを特徴とする請求項５に記載の印刷依頼装置。
【請求項９】
前記印刷ジョブの作成者は
前記印刷依頼装置のログインユーザ名である
ことを特徴とする請求項７または８に記載の印刷依頼装置。
【請求項１０】
印刷ジョブを複数の画像形成装置のいずれかに送信して印刷依頼を行う印刷依頼装置と、前記印刷依頼を管理するサーバとを有する印刷制御システムにおいて、
前記サーバは、
印刷を許可する印刷部数下限値を記憶する記憶手段
を具備し、
前記印刷依頼端末は、
前記印刷依頼に際して前記記憶手段に記憶された前記印刷部数下限値と送信する印刷ジョブに指定される印刷部数とを比較する比較手段と、
前記比較手段によって当該印刷部数が該印刷部数下限値以上の場合に当該印刷ジョブを送信し、当該印刷部数が該印刷部数下限値未満の場合には当該印刷ジョブを送信せずに印刷不可通知を行なう送信制御手段と
を具備することを特徴とする印刷制御システム。
【請求項１１】
印刷ジョブを受信して印刷を行う画像形成装置の印刷制御方法において、
印刷を許可する印刷部数下限値を記憶手段で記憶し、
受信した印刷ジョブに指定された印刷部数と前記記憶手段に記憶される印刷部数下限値とを比較手段により比較し、
前記比較手段により当該印刷部数が該印刷部数下限値以上の場合には受信した印刷ジョブを印刷制御手段により印刷し、当該印刷部数が該印刷部数下限値未満の場合には受信した印刷ジョブを印刷制御手段により破棄する
ことを特徴とする印刷制御方法。
【請求項１２】
印刷ジョブの送信を行なう印刷依頼装置の送信制御方法において、
印刷を許可する印刷部数下限値を記憶手段により記憶し、
送信する印刷ジョブに指定された印刷部数と前記記憶手段に記憶される印刷部数下限値とを比較手段により比較し、
前記比較手段により当該印刷部数が該印刷部数下限値以上の場合には当該印刷ジョブを送信制御手段により送信し、当該印刷部数が該印刷部数下限値未満の場合には当該印刷ジョブを送信せずに印刷不可通知を送信制御手段により行なう
ことを特徴とする送信制御方法。
【発明の詳細な説明】
【技術分野】
【０００１】
本発明は、画像形成装置および印刷依頼装置および印刷制御システムおよび印刷制御方法および送信制御方法に関し、特に、印刷ジョブに記された印刷部数が予め設定された部数未満だと印刷出力しないようにして、少数部数の印刷ジョブを、間違って指定されたプリンタで印刷出力しないようにする画像形成装置および印刷依頼装置および印刷制御システムおよび印刷制御方法および送信制御方法に関する。
【背景技術】
【０００２】
従来、学校という職員室と教室とが混在した環境での印刷システムは、職員室内の印刷依頼装置であるパーソナルコンピュータからの依頼で、教室内のプリンタと職員室内のプリンタにそれぞれ印刷させることができた。
【０００３】
教室内のプリンタへの印刷依頼は、教師が授業を行う教室内のプリンタに、授業に必要な生徒用の教材を印刷させるため等に行われ、生徒数以上の部数が印刷されるのが主である。
【０００４】
また、職員室内のプリンタへの印刷依頼は、教師が職員室内での事務作業の為に書類を印刷させるため等に行われ、生徒に見られると不都合がある書類（例えば名簿等）も含まれる。
【０００５】
そして、職員室内のプリンタへ印刷依頼される部数は、教室内のプリンタへ印刷依頼される部数より比較的少ない。
【０００６】
このような印刷環境で、教師が職員室内のプリンタに印刷依頼するのを間違って教室内のプリンタに印刷依頼してしまうと、生徒に見られると不都合がある書類が教室内のプリンタから印刷されてしまうという問題があった。
【０００７】
このような問題に対して特許文献１においては、印刷ジョブを生成したユーザからの入力データやジョブサーバにおけるサービスの制限（印刷ジョブの有効期間や印刷可能部数上限値）を用い、印刷依頼ごとに印刷ジョブの印刷可否判断を行なう印刷システムが提案されている。
【特許文献１】特開２００４−１５２１０８号公報
【発明の開示】
【発明が解決しようとする課題】
【０００８】
しかし、特許文献１の発明では、印刷可能部数の範囲ならば使用可能なプリンタに印刷させることができ、使用可能なプリンタならば職員室内のプリンタや教室内のプリンタのどちらのプリンタにも印刷させることができてしまう。
【０００９】
また、１日のうちに職員室内のプリンタと教室内のプリンタとの両方のプリンタに印刷させることも容易に考えられ、使用可能なプリンタの制限をどちらかのプリンタに設定してしまっては片方のプリンタに印刷させる時には設定を変更しなければならず面倒となる。
【００１０】
そこで、この発明は、印刷ジョブに記された印刷部数が予め設定された部数未満だと印刷出力しないようにして、少数部数の印刷ジョブを、間違って指定されたプリンタで印刷出力しないようにする画像形成装置および印刷依頼装置および印刷制御システムおよび印刷制御方法および送信制御方法を提供することを目的とする。
【課題を解決するための手段】
【００１１】
上記目的を達成する為、請求項１の発明は、印刷ジョブを受信して印刷を行う画像形成装置において、印刷を許可する印刷部数下限値を記憶する記憶手段と、受信した印刷ジョブに指定された印刷部数と前記記憶手段に記憶される印刷部数下限値とを比較する比較手段と、前記比較手段により当該印刷部数が該印刷部数下限値以上の場合には受信した印刷ジョブを印刷し、当該印刷部数が該印刷部数下限値未満の場合には受信した印刷ジョブを破棄する印刷制御手段とを具備することを特徴とする。
【００１２】
また、請求項２の発明は、請求項１の発明において、前記記憶手段は、前記印刷部数下限値を前記印刷ジョブの送信元情報に対応して記憶し、前記比較手段は、受信した印刷ジョブに指定された印刷部数と当該印刷ジョブに対応する印刷部数下限値とを比較することを特徴とする。
【００１３】
また、請求項３の発明は、請求項２の発明において、前記送信元情報は、当該印刷ジョブの作成者であることを特徴とする。
【００１４】
また、請求項４の発明は、請求項２の発明において、前記送信元情報は、当該印刷ジョブを送信するコンピュータ名であることを特徴とする。
【００１５】
また、請求項５の発明は、印刷ジョブの送信を行なう印刷依頼装置において、印刷を許可する印刷部数下限値を記憶する記憶手段と、送信する印刷ジョブに指定された印刷部数と前記記憶手段に記憶される印刷部数下限値とを比較する比較手段と、前記比較手段により当該印刷部数が該印刷部数下限値以上の場合には当該印刷ジョブを送信し、当該印刷部数が該印刷部数下限値未満の場合には当該印刷ジョブを送信せずに印刷不可通知を行なう送信制御手段とを具備することを特徴とする。
【００１６】
また、請求項６の発明は、請求項５の発明において、前記記憶手段は、前記印刷部数下限値を前記印刷ジョブの送信先情報に対応して記憶し、前記比較手段は、送信する印刷ジョブに指定された印刷部数と当該印刷ジョブの送信先情報に対応する印刷部数下限値とを比較することを特徴とする。
【００１７】
また、請求項７の発明は、請求項５の発明において、前記記憶手段は、前記印刷部数下限値を前記印刷ジョブの作成者に対応して記憶し、前記比較手段は、送信する印刷ジョブに指定された印刷部数と当該印刷ジョブの作成者に対応する印刷部数下限値とを比較することを特徴とする。
【００１８】
また、請求項８の発明は、請求項５の発明において、前記記憶手段は、前記印刷部数下限値を前記印刷ジョブの送信先と作成者との組み合わせに対応して記憶し、前記比較手段は、送信する印刷ジョブに指定された印刷部数と当該印刷ジョブの送信先と作成者との組み合わせに対応する印刷部数下限値とを比較することを特徴とする。
【００１９】
また、請求項９の発明は、請求項７または８の発明において、前記印刷ジョブの作成者は前記印刷依頼装置のログインユーザ名であることを特徴とする。
【００２０】
また、請求項１０の発明は、印刷ジョブを複数の画像形成装置のいずれかに送信して印刷依頼を行う印刷依頼装置と、前記印刷依頼を管理するサーバとを有する印刷制御システムにおいて、前記サーバは、印刷を許可する印刷部数下限値を記憶する記憶手段を具備し、前記印刷依頼端末は、前記印刷依頼に際して前記記憶手段に記憶された前記印刷部数下限値と送信する印刷ジョブに指定される印刷部数とを比較する比較手段と、前記比較手段によって当該印刷部数が該印刷部数下限値以上の場合に当該印刷ジョブを送信し、当該印刷部数が該印刷部数下限値未満の場合には当該印刷ジョブを送信せずに印刷不可通知を行なう送信制御手段とを具備することを特徴とする。
【００２１】
また、請求項１１の発明は、印刷ジョブを受信して印刷を行う画像形成装置の印刷制御方法において、印刷を許可する印刷部数下限値を記憶手段で記憶し、
受信した印刷ジョブに指定された印刷部数と前記記憶手段に記憶される印刷部数下限値とを比較手段により比較し、前記比較手段により当該印刷部数が該印刷部数下限値以上の場合には受信した印刷ジョブを印刷制御手段により印刷し、当該印刷部数が該印刷部数下限値未満の場合には受信した印刷ジョブを印刷制御手段により破棄することを特徴とする。
【００２２】
また、請求項１２の発明は、印刷ジョブの送信を行なう印刷依頼装置の印刷制御方法において、印刷を許可する印刷部数下限値を記憶手段により記憶し、送信する印刷ジョブに指定された印刷部数と前記記憶手段に記憶される印刷部数下限値とを比較手段により比較し、前記比較手段により当該印刷部数が該印刷部数下限値以上の場合には当該印刷ジョブを印刷制御手段により送信し、当該印刷部数が該印刷部数下限値未満の場合には当該印刷ジョブを送信せずに印刷不可通知を印刷制御手段により行なうことを特徴とする。
【発明の効果】
【００２３】
この発明によれば、印刷を許可する印刷部数下限値を記憶する記憶手段と、受信した印刷ジョブに指定された印刷部数と記憶手段に記憶される印刷部数下限値とを比較する比較手段と、比較手段により当該印刷部数が該印刷部数下限値以上の場合には受信した印刷ジョブを印刷し、当該印刷部数が該印刷部数下限値未満の場合には受信した印刷ジョブを破棄する印刷制御手段とを具備するように構成したので、印刷ジョブに記された印刷部数が予め設定された部数未満だと印刷出力しないようにして、少数部数の印刷ジョブを、間違って指定されたプリンタで印刷出力しないようにすることができるという効果を奏する。
【発明を実施するための最良の形態】
【００２４】
以下、本発明に係わる画像形成装置および印刷依頼装置および印刷制御システムおよび印刷制御方法および送信制御方法の実施例について添付図面を参照して詳細に説明する。
【実施例１】
【００２５】
図１は、本発明に係わる印刷制御システム１の概略を示す構成図である。
【００２６】
図１に示すように、この印刷制御システム１は、ネットワーク２を介して職員室１０内の装置と教室（教室Ａ）２０、教室（教室Ｂ）３０、教室（教室Ｃ）４０内の装置とが接続される。
【００２７】
職員室１０内には、サーバ３、プリンタ（プリンタＺ）４、パーソナルコンピュータ（以下、ＰＣと記す）５が配置され、それぞれネットワーク２に接続される。
【００２８】
そして、教室（教室Ａ）２０内にはプリンタ（プリンタＡ）２１が、教室（教室Ｂ）３０内にはプリンタ（プリンタＢ）３１が、教室（教室Ｃ）４０内にはプリンタ（プリンタＣ）４１が配置され、それぞれネットワーク２に接続される。
【００２９】
職員室１０内のサーバ３は、各教室のプリンタ（プリンタＡ）２１、プリンタ（プリンタＢ）３１、プリンタ（プリンタＣ）４１のそれぞれのプリンタ内の各メモリに記憶される印刷部数下限値を更新させる為に、最新の印刷部数下限値を各プリンタに送信する。
【００３０】
職員室１０内のプリンタ（プリンタＺ）４は、ＰＣ５から送信された印刷ジョブを受信し、受信した印刷ジョブの印刷を行う。
【００３１】
職員室１０内のＰＣ５は、印刷ジョブを作成して職員室１０内のプリンタ（プリンタＺ）４または各教室内のプリンタ（プリンタＡ）２１、プリンタ（プリンタＢ）３１、プリンタ（プリンタＣ）４１に送信して印刷させることができる。
【００３２】
また、印刷依頼装置であるＰＣ５には、プリンタ（プリンタＺ）４、プリンタ（プリンタＡ）２１、プリンタ（プリンタＢ）３１、プリンタ（プリンタＣ）４１のプリンタドライバがインストールされている。
【００３３】
教室（教室Ａ）２０内のプリンタ（プリンタＡ）２１は、ネットワークインタフェース（以下、ネットワークＩ／Ｆと記す。図面ではＮＷＩ／Ｆと記す。）２２、制御部２３、メモリ２４を備える。
【００３４】
プリンタ（プリンタＡ）２１内のネットワークＩ／Ｆ２２は、ネットワーク２と接続されており、プリンタ（プリンタＡ）２１に対して送信された印刷ジョブを受信する。
【００３５】
プリンタ（プリンタＡ）２１内の制御部２３は、プリンタ（プリンタＡ）２１の統括的な制御を行い、メモリ２４に記憶される印刷部数下限値を参照して、ネットワークＩ／Ｆ２２で受信した印刷ジョブの印刷可否の判断を行う。
【００３６】
プリンタ（プリンタＡ）２１内のメモリ２４は、記憶装置であり、印刷可否の判断を制御部２３が行う為に、印刷可否の判断指標となる値の印刷部数下限値を記憶する。
【００３７】
教室（教室Ｂ）３０内にはプリンタ（プリンタＢ）３１が存在し、プリンタ（プリンタＢ）３１はネットワークＩ／Ｆ３２、制御部３３、メモリ３４を備える。
【００３８】
また、教室（教室Ｃ）４０内にはプリンタ（プリンタＣ）が存在し、プリンタ（プリンタＣ）４１はネットワークＩ／Ｆ４２、制御部４３、メモリ４４を備える。
【００３９】
そして、ネットワークＩ／Ｆ３２、４２はプリンタ（プリンタＡ）２１のネットワークＩ／Ｆ２２と同じ構成をして同じ機能を備え、制御部３３、４３はプリンタ（プリンタＡ）２１の制御部２３と同じ構成をして同じ機能を備え、メモリ３４、４４はプリンタ（プリンタＡ）２１のメモリ２４と同じ構成をして同じ機能を備える。
【００４０】
そして、説明の便宜上各教室内に備えられたプリンタ（プリンタＡ）２１、プリンタ（プリンタＢ）３１、プリンタ（プリンタＣ）４１を総称してプリンタ５１と呼ぶ。
【００４１】
また、プリンタ５１内には、ネットワークＩ／Ｆ２２と同じ構成をして同じ機能を備えるネットワークＩ／Ｆ５２、制御部２３と同じ構成をして同じ機能を備える制御部５３、メモリ２４と同じ構成をして同じ機能を備えるメモリ５４が具備されるものとする。
【００４２】
但しメモリ２４、３４、４４、５４は同じ構成をしているが、その記憶する記憶内容は異なってかまわない。
【００４３】
このように構成される印刷制御システム１では、職員室１０内のＰＣ５において印刷ジョブが作成され、教室内の特定のプリンタ５１に印刷ジョブを送信するように印刷依頼されてＰＣ５から印刷ジョブが送信されると、プリンタ５１では、まずネットワークＩ／Ｆ５２で印刷ジョブを受信する。
【００４４】
そして、ネットワークＩ／Ｆ５２で印刷ジョブを受信したプリンタ５１は、メモリ５４に記憶する印刷部数下限値を制御部５３が参照して、制御部５３によって印刷ジョブの印刷可否の判断が行われる。
【００４５】
制御部５３によって、受信した印刷ジョブの印刷可否が判断されると、印刷不可能と判断された場合には受信した印刷ジョブのデータが削除され、印刷可能と判断された場合には受信した印刷ジョブの印刷を行う。
【００４６】
次に、教室内に存在するプリンタ５１のメモリ５４が記憶する印刷部数下限値について図２を参照して説明を行う。
【００４７】
図２は、プリンタ５１のメモリ５４が記憶する印刷部数下限値について数種類のパターンを示した表であり、図２（ａ）はプリンタ名毎に設定される印刷部数下限値を記憶する表であり、図２（ｂ）は教室名毎に設定される印刷部数下限値を記憶する表であり、図２（ｃ）は教師名毎に設定される印刷部数下限値を記憶する表であり、図２（ｄ）はＰＣ名毎に設定される印刷部数下限値を記憶する表である。
【００４８】
印刷部数下限値とは、印刷ジョブに記された印刷部数が印刷部数下限値以上である場合は下限値を上回っているので印刷可能と判断され、印刷ジョブに記された印刷部数がその印刷部数下限値未満である場合には印刷不可能であると判断される、印刷可否の判断指標となる値である。
【００４９】
図２（ａ）に示すように、プリンタ５１のメモリ５４には、プリンタ名毎に印刷部数下限値が記憶されており、プリンタ５１の制御部５３は、自装置のプリンタの名前を印刷部数下限値が記された表から探し出し、自装置のプリンタに設定された印刷部数下限値を把握する。
【００５０】
自装置のプリンタ名はメモリ５４に記憶されている。
【００５１】
また、図２（ｂ）に示すように、メモリ５４に教室名毎の印刷部数下限値が記憶されている場合では、制御部５３は、自装置のプリンタが存在する教室名が記された印刷部数下限値を図２（ｂ）に示す表から把握する。
【００５２】
自装置のプリンタ５１が配置された教室名はメモリ５４に記憶されている。
【００５３】
また、図２（ｃ）に示すように、メモリ５４に教師名毎の印刷部数下限値が記憶されている場合には、プリンタ５１の制御部５３は、受信した印刷ジョブに記された印刷ジョブの作成者を調べ、その名前から図２（ｃ）に示す表に基づいて印刷部数下限値を取得する。
【００５４】
また、図２（ｄ）に示すように、メモリ５４にＰＣ名毎の印刷部数下限値が記憶されている場合には、プリンタ５１の制御部５３は、受信した印刷ジョブに記された送信元のＰＣ名を調べ、そのＰＣ名から図２（ｄ）に示す表に基づいて印刷部数下限値を取得する。
【００５５】
図２（ｄ）に示す表が使用されるのは、ネットワーク２に複数のＰＣが接続されている場合に都合がよい。
【００５６】
このように、プリンタ５１のメモリ５４に記憶される印刷情報下限値は、数種類のパターンがある。
【００５７】
本実施例では、メモリ５４には、図２（ａ）に示すプリンタ名毎に印刷部数下限値が記されたパターンで印刷部数下限値が記憶されるものとする。
【００５８】
次に、ネットワーク２より印刷ジョブを受信したプリンタ５１で行われる処理について図３を参照して説明を行う。
【００５９】
図３は、ネットワーク２より印刷ジョブを受信したプリンタ５１で行われる処理について示したフローチャートである。
【００６０】
印刷制御システム１において、教室内のプリンタ５１がネットワーク２を介してＰＣ５より送信された印刷ジョブをプリンタ５１内のネットワークＩ／Ｆ５２で受信すると（ステップ３０１）、制御部５３は、メモリ５４内に記憶される印刷部数下限値を参照して、自装置のプリンタに設定される（メモリ５４に記憶される印刷情報下限値のパターンによっては受信した印刷ジョブに設定される）印刷部数下限値を取得する（ステップ３０２）。
【００６１】
メモリ５４に記憶された印刷部数下限値が、プリンタ毎に定められた印刷部数下限値である場合や教室名毎に定められた印刷部数下限値である場合には、制御部５３は自装置のプリンタ名や自装置のプリンタが存在する教室名に基づいて、メモリ５４に記憶された印刷部数下限値を参照し、自装置のプリンタに設定される印刷下限値を取得する。
【００６２】
また、メモリ５４に記憶された印刷部数下限値が、教師名毎に定められた印刷部数下限値である場合やＰＣ名毎に定められた印刷部数下限値である場合には、制御部５３は、受信した印刷ジョブの内容から印刷ジョブに記された教師名若しくはＰＣ名を調べ、メモリ５４に記憶された印刷部数下限値の中から該当する教師名若しくはＰＣ名に基づいて、受信した印刷ジョブに相当する印刷部数下限値を取得する。
【００６３】
このようにして、制御部５３が印刷部数下限値を取得すると（ステップ３０２）、受信した印刷ジョブに記された印刷部数がステップ３０２で取得した印刷部数下限値以上であるか否かの判断が制御部５３によって行われる（ステップ３０３）。
【００６４】
制御部５３は、受信した印刷ジョブに記された印刷部数がメモリ５４より取得した印刷部数下限値以上である場合には印刷部数が下限値より上回っているので印刷可能と判断し（ステップ３０４でＹＥＳ）、また、受信した印刷ジョブに記された印刷部数がメモリ５４より取得した印刷部数下限値未満である場合には印刷不可能と判断する（ステップ３０４でＮＯ）。
【００６５】
制御部５３は、印刷可能であると判断した場合には（ステップ３０４でＹＥＳ）、受信した印刷ジョブを印刷する（ステップ３０５）。
【００６６】
また、制御部５３は、印刷不可能であると判断した場合には（ステップ３０４でＮＯ）、受信した印刷ジョブのデータを削除する（ステップ３０６）。
【００６７】
このように、プリンタ５１では、受信した印刷ジョブの印刷部数とメモリ５４に記憶された印刷部数下限値とが比較されて印刷可否が判断されるので、職員室１０内のＰＣ５から依頼した少数部数の印刷依頼が職員室１０内のプリンタ（プリンタＺ）４ではなくて間違って教室内のプリンタ５１に行われた場合でも、教室内のプリンタ５１より出力されることを防止できる。
【００６８】
そして、間違って教室内のプリンタ５１に印刷依頼した場合にも、プリンタ５１内で受信した印刷ジョブのデータは削除されるので情報漏洩の心配がない。
【００６９】
例えば、プリンタ（プリンタＡ）２１のメモリ２４に図２（ａ）に示すように印刷部数下限値が３０部と記憶されていて、ＰＣ５からプリンタ（プリンタＡ）２１に対して１部印刷する印刷依頼を行ったときは、印刷ジョブを受信したプリンタ（プリンタＡ）２１は、指定された印刷部数が１部であって印刷部数下限値である３０部未満であるので、印刷を行わず受信した印刷ジョブのデータを削除する。
【００７０】
教室内のプリンタの印刷部数下限値を３０と設定して職員室１０内のプリンタ（プリンタＺ）４の印刷部数下限値を１と設定しておけば、ＰＣ５から送信される１部といった少数部数の印刷ジョブは職員室１０内のプリンタ（プリンタＺ）４からは印刷され、間違って教室内のプリンタに印刷依頼しても教室内のプリンタからは印刷されない。
【００７１】
次に、教室内のプリンタ５１のメモリ５４が記憶する印刷部数下限値について、サーバ３から送られる最新の印刷部数下限値より記憶する印刷部数下限値が更新される処理について図４を参照して説明を行う。
【００７２】
図４は、サーバ３から送られる最新の印刷部数下限値より各教室のプリンタ（プリンタＡ）２１、プリンタ（プリンタＢ）３１、プリンタ（プリンタＣ）４１のメモリ２４、３４、４４に記憶される印刷部数下限値が更新される処理を示した概念図である。
【００７３】
図４に示すようにサーバ３から各教室のプリンタ（プリンタＡ）２１、プリンタ（プリンタＢ）３１、プリンタ（プリンタＣ）４１に対してそれぞれのプリンタに最新の印刷部数下限値が送信される。
【００７４】
最新の印刷部数下限値が送信された各教室のプリンタ（プリンタＡ）２１、プリンタ（プリンタＢ）３１、プリンタ（プリンタＣ）４１は、それぞれのネットワークＩ／Ｆ２２、３２、４２で印刷部数下限値を受信し、制御部２３、３３、４３が、それぞれメモリ２４、３４、４４に記憶する印刷部数下限値を書き換える。
【００７５】
このようにサーバ３から送信された最新の印刷部数下限値によってプリンタ５１のメモリ５４で記憶される印刷部数下限値が更新されるので、サーバ３の図示しないメモリに最新の印刷部数下限値を入力して各々のプリンタに送信すれば、各々のプリンタ（プリンタＡ）２１、プリンタ（プリンタＢ）３１、プリンタ（プリンタＣ）４１で印刷部数下限値の更新作業をする手間を省くことができる。
【実施例２】
【００７６】
実施例１では印刷部数下限値を教室内のプリンタ５１のメモリ５４に記憶する印刷制御システム１について説明したが、本実施例では印刷部数下限値を職員室１１０内のＰＣ１０５内のメモリ１０８に記憶する印刷制御システム１００について説明を行う。
【００７７】
まず、印刷制御システム１００のシステム構成について図５を参照して説明を行う。
【００７８】
図５は、印刷制御システム１００の概略を示す構成図である。
【００７９】
図５に示すように、この印刷制御システム１００は、ネットワーク１０２を介して職員室１１０内の装置と教室（教室Ａ）１２０、教室（教室Ｂ）１３０、教室（教室Ｃ）１４０内の装置とが接続される。
【００８０】
職員室１１０内には、サーバ１０３、プリンタ（プリンタＺ）１０４、パーソナルコンピュータ（以下、ＰＣと記す）１０５が配置され、それぞれネットワーク１０２に接続される。
【００８１】
そして、教室（教室Ａ）１２０内にはプリンタ（プリンタＡ）１２１が、教室（教室Ｂ）１３０内にはプリンタ（プリンタＢ）１３１が、教室（教室Ｃ）１４０内にはプリンタ（プリンタＣ）１４１が配置され、それぞれネットワーク１０２に接続される。
【００８２】
職員室１１０内のサーバ１０３はＰＣ１０５内のメモリ１０８内に記憶される印刷部数下限値を更新させる最新の印刷部数下限値をＰＣ１０５に送信する。
【００８３】
職員室１１０内のプリンタ（プリンタＺ）１０４は、ＰＣ１０５より送信された印刷ジョブを受信し、受信した印刷ジョブの印刷を行う。
【００８４】
職員室１１０内の印刷依頼装置であるＰＣ１０５は、ネットワークインタフェース（以下、ネットワークＩ／Ｆと記す。図面ではＮＷＩ／Ｆと記す。）１０６、制御部１０７、メモリ１０８、表示部１０９を備え、印刷ジョブを作成して印刷可否の判断を行い、印刷可能な場合は該印刷ジョブを送信し、印刷不可能な場合は警告メッセージをユーザに表示する。
【００８５】
ＰＣ１０５内のネットワークＩ／Ｆ１０６は、印刷ジョブの送信を行い、またサーバ１０３から送信される最新の印刷部数下限値を受信する。
【００８６】
ＰＣ１０５内の制御部１０７は、ＰＣ１０５の統括的な制御を行い、ＰＣ１０５で作成された印刷ジョブの印刷可否の判断をメモリ１０８に記憶された印刷部数下限値に基づいて行う。
【００８７】
ＰＣ１０５内のメモリ１０８は、記憶装置であり、制御部１０７が印刷可否の判断を行う為に、印刷可否の判断指標となる値の印刷部数下限値を記憶する。
【００８８】
ＰＣ１０５内の表示部１０９は、ＰＣ１０５で作成された印刷ジョブが印刷不可能と判断された場合に、警告メッセージをユーザを表示する。
【００８９】
また、ＰＣ１０５には、プリンタ（プリンタＺ）１０４、プリンタ（プリンタＡ）１２１、プリンタ（プリンタＢ）１３１、プリンタ（プリンタＣ）１４１のプリンタドライバがインストールされており、それぞれのプリンタで印刷できる印刷ジョブが作成される。
【００９０】
教室（教室Ａ）１２０内のプリンタ（プリンタＡ）１２１、教室（教室Ｂ）１３０内のプリンタ（プリンタＢ）１３１、教室（教室Ｃ）１４０内のプリンタ（プリンタＣ）１４１はネットワーク１０２に接続されており、職員室１１０内のＰＣ１０５から送信された印刷ジョブを受信すると印刷を行う。
【００９１】
このように構成される印刷制御システム１００では、ＰＣ１０５において作成された印刷ジョブは、ＰＣ１０５内の制御部１０７によって印刷可否が判断されて、印刷可能な場合には作成された印刷ジョブはジョブ中に記されたプリンタに送信され、印刷不可能な場合には表示１０９に警告メッセージを表示して印刷不可能なことをユーザに伝え、印刷ジョブの送信は行われない。
【００９２】
次に、職員室１１０内のＰＣ１０５のメモリ１０８が記憶する印刷部数下限値について図６を参照して説明を行う。
【００９３】
図６は、ＰＣ１０５のメモリ１０８が記憶する印刷情報下限値について数種類のパターンを示した表であり、図６（ａ）はプリンタ名毎に設定される印刷部数下限値を記憶する表であり、図６（ｂ）は教室名毎に設定される印刷部数下限値を記憶する表であり、図６（ｃ）は教師名毎に設定される印刷部数下限値を記憶する表であり、図６（ｄ）はＰＣ名毎に設定される印刷部数下限値を記憶する表であり、図６（ｅ）は教室名と教師名との組み合わせが書かれてその組み合わせ毎に設定される印刷部数下限値を記憶する表である。
【００９４】
印刷部数下限値とは、印刷ジョブに記された印刷部数が印刷部数下限値以上である場合は下限値を上回っているので印刷可能と判断され、印刷ジョブに記された印刷部数がその印刷部数下限値未満である場合には印刷不可能であると判断される、印刷可否の判断指標となる値である。
【００９５】
図６（ａ）に示すように、ＰＣ１０５のメモリ１０８には、プリンタ名毎に印刷部数下限値が記憶される場合があり、このような場合には、制御部１０７は、印刷ジョブの印刷可否の判断をする際、図６（ａ）に示す表を参照して印刷ジョブに記されたプリンタの印刷部数下限値を把握する。
【００９６】
また、図６（ｂ）に示すように、ＰＣ１０５のメモリ１０８には、教室名毎の印刷部数下限値が記憶される場合もあり、このように教室名毎の印刷部数下限値が記憶されている場合には、ＰＣ１０５のメモリ１０８に、教室内に設置されてネットワーク１０２に接続されたプリンタ名と教室名とが記されたプリンタ名対応表が記憶される。
【００９７】
そして、制御部１０７が印刷可否を判断する際には、制御部１０７は、印刷ジョブに記された送信先のプリンタがどの教室に設置されているかを前述のプリンタ名対応表により把握し、把握した教室名と図６（ｂ）に示した印刷部数下限値を示す表とにより該当する印刷部数下限値を取得する。
【００９８】
また、図６（ｃ）に示すように、ＰＣ１０５のメモリ１０８に、教師名毎の印刷部数下限値が記憶される場合には、制御部１０７は、ＰＣ１０５のログインユーザ名に基づいて図６（ｃ）に示す印刷部数下限値を示す表から該当する印刷部数下限値を取得する。
【００９９】
また、図６（ｄ）に示すように、ＰＣ１０５のメモリ１０８に、コンピュータ名毎の印刷部数下限値が記憶される場合には、制御部１０７は、ＰＣ１０５のコンピュータ名に基づいて図６（ｄ）に示す印刷部数下限値を示す表から該当する印刷部数下限値を取得する。
【０１００】
図６（ｄ）に示す表では、「コンピュータ名」と表現したが、コンピュータ名でなくコンピュータを特定するＩＰアドレス等の情報であってもよい。
【０１０１】
図６（ｄ）に示す表が使用されるのは、ネットワーク１０２に複数のＰＣが接続されている場合に都合がよい。
【０１０２】
また、図６（ｅ）に示すように、ＰＣ１０５のメモリ１０８に、教室名と教師名の組み合わせが記されて、その組み合わせ毎に印刷部数下限値が記憶されている場合には、制御部１０７は、印刷ジョブで指定される出力先のプリンタが存在する教室名とログインユーザ名とから図６（ｅ）に示す表に基づいて印刷部数下限値を取得する。
【０１０３】
このように印刷部数下限値が教室名と教師名との組み合わせのパターンで記憶される場合には、ＰＣ１０５のメモリ１０８に、教室内に設置されてネットワーク１０２に接続されたプリンタ名と教室名とが記されたプリンタ名対応表が記憶される。
【０１０４】
このようにＰＣ１０５のメモリ１０８に記憶される印刷情報下限値は、数種類のパターンがある。
【０１０５】
本実施例では、メモリ１０８には、図６（ａ）に示すようにプリンタ名毎に印刷部数下限値が記されたパターンで記憶されるものとする。
【０１０６】
次に、ＰＣ１０５で印刷ジョブが送信される際に行われる印刷可否の判断処理について図７を参照して説明を行う。
【０１０７】
図７は、ＰＣ１０５で印刷ジョブが送信される際に行われる印刷可否の判断処理について示したフローチャートである。
【０１０８】
ＰＣ１０５では、ユーザが、印刷させる出力先のプリンタを決定して、ＰＣ１０５内にインストールされたプリンタドライバを使用し、印刷ジョブの作成を行う（ステップ７０１）。
【０１０９】
そして、印刷ジョブが作成されてユーザによって印刷依頼が行われると（ステップ７０２）、制御部１０７がメモリ１０８に記憶する印刷部数下限値を参照して、印刷依頼が行われた印刷ジョブについての印刷部数下限値を取得する（ステップ７０３）。
【０１１０】
印刷部数下限値の取得は、メモリ１０８に記憶された印刷部数下限値の表を参照して、図６を示して説明したように、記憶された表の内容に応じてログインユーザ名や出力先のプリンタ名等を調べ、その名前に基づいて取得される。
【０１１１】
印刷部数下限値が取得されると、印刷依頼された印刷ジョブに記された印刷部数とステップ７０３で取得した印刷部数下限値とが比較されて印刷可否の判断が行われる（ステップ７０４）。
【０１１２】
印刷部数と印刷部数下限値との比較は、印刷部数が印刷部数下限値以上であれば印刷可能と判断され、印刷部数が印刷部数下限値未満であれば印刷不可能であると判断される。
【０１１３】
印刷可能であると判断されると（ステップ７０５でＹＥＳ）、ステップ７０２で印刷依頼が行われた印刷ジョブがネットワークＩ／Ｆ１０６より指定されたプリンタに送信されて（ステップ７０６）、指定されたプリンタで印刷が行われる。
【０１１４】
また、制御部１０７により印刷不可能であると判断されると（ステップ７０５でＮＯ）、制御部１０７によって、表示部１０９に印刷不可能である内容の警告メッセージが表示されてユーザに印刷不可能であることが知らされ、印刷ジョブの送信は行なわれない。
【０１１５】
例えば、メモリ１０８に図６（ａ）に示すようにプリンタ（プリンタＡ）１２１の印刷部数下限値が３０部と記憶されて、ＰＣ１０５からプリンタ（プリンタＡ）１２１に対して１部印刷する印刷ジョブが作成されて印刷依頼が行われたときは、指定された印刷部数が１部であって印刷部数下限値である３０部未満であるので、印刷ジョブの送信は行われず表示部１０９に警告メッセージが表示される。
【０１１６】
教室内のプリンタの印刷部数下限値を３０と設定して職員室１１０内のプリンタ（プリンタＺ）１０４の印刷部数下限値を１と設定しておけば、ＰＣ１０５から送信される１部といった少数部数の印刷ジョブは、職員室１１０内のプリンタ（プリンタＺ）１０４に対しては送信され、間違って教室内のプリンタに印刷依頼しても印刷ジョブは送信されない。
【０１１７】
このように設定することで、教師が職員室から事務処理の為に名簿等を１部プリンタ（プリンタＺ）１０４から印刷するつもりで間違って教室内のプリンタを指定してしまって教室内のプリンタから名簿等を１部印刷出力させてしまうという誤印刷を防止することができる。
【０１１８】
次に、教室内１１０内のＰＣ１０５のメモリ１０８が記憶する印刷部数下限値について、サーバ１０３から送られる最新の印刷部数下限値より記憶する印刷部数下限値が更新される処理について図８を参照して説明を行う。
【０１１９】
図８は、サーバ１０３から送られる最新の印刷部数下限値よりＰＣ１０５のメモリ１０８に記憶される印刷部数下限値が更新される処理を示した概念図である。
【０１２０】
図８に示すようにサーバ１０３からＰＣ１０５にサーバ１０３から最新の印刷部数下限値が送信される。
【０１２１】
最新の印刷部数下限値が送信されたＰＣ１０５は、ネットワークＩ／Ｆ１０６で最新の印刷部数下限値を受信し、制御部１０７がメモリ１０８に記憶する印刷部数下限値を書き換える。
【０１２２】
このようにサーバ１０３から送信された最新の印刷部数下限値によってＰＣ１０５のメモリ１０８に記憶される印刷部数下限値が更新されるので、ネットワーク１０２にＰＣ１０５だけでなくＰＣ１０５と同様の機能をもつＰＣが複数接続されている場合には、サーバ１０３の図示しないメモリに最新の印刷部数下限値を入力して更新させるＰＣに送信すれば、複数のＰＣで印刷部数下限値の更新作業をする手間を省くことができる。
【０１２３】
なお、本実施例では、ＰＣ１０５で作成された印刷ジョブがＰＣ１０５の制御部１０７によって印刷可否の判断が行われるように説明したが、印刷ジョブが作成された場所はＰＣ１０５でなくてもよく、ＰＣ１０５以外で作成された印刷ジョブの印刷可否判断がＰＣ１０５で行われるようにしてもよい。
【実施例３】
【０１２４】
実施例２では印刷部数下限値を職員室１１０内のＰＣ１０５に記憶する印刷制御システム１００について説明したが、本実施例では印刷部数下限値をサーバ２０３内のメモリ２０６に記憶する印刷制御システム２００について説明を行なう。
【０１２５】
まず、印刷制御システム２００のシステム構成について図９を参照して説明を行なう。
【０１２６】
図９は、印刷制御システム２００の概略を示す構成図である。
【０１２７】
図９に示すように、この印刷制御システム２００は、ネットワーク２０２を介して職員室２１５内の装置と教室（教室Ａ）２２０、教室（教室Ｂ）２３０、教室（教室Ｃ）２４０内の装置とが接続される。
【０１２８】
職員室２１５内には、サーバ２０３、プリンタ（プリンタＺ）２０７、パーソナルコンピュータ（以下、ＰＣと記す）２０８が配置され、それぞれネットワーク２０２に接続される。
【０１２９】
そして、教室（教室Ａ）２２０内にはプリンタ（プリンタＡ）２２１が、教室（教室Ｂ）２３０内にはプリンタ（プリンタＢ）２３１が、教室（教室Ｃ）２４０内にはプリンタ（プリンタＣ）２４１が配置され、それぞれネットワーク２０２に接続される。
【０１３０】
職員室２１５内のサーバ２０３は、ネットワークインタフェース（以下、ネットワークＩ／Ｆと記す。図面ではＮＷＩ／Ｆ（NetWork Inter Face）と記す。）２０４、制御部２０５、メモリ２０６を備え、ＰＣ２０８から印刷部数下限値の参照要求があるとメモリ２０６に記憶した印刷部数下限値の情報をＰＣ２０８に送信し、ＰＣ２０８からの参照を可能とさせる。
【０１３１】
サーバ２０３内のＮＷＩ／Ｆ２０４は、ネットワーク２０２を介して情報の授受を行う。
【０１３２】
サーバ２０３内の制御部２０５は、サーバ２０３の統括的な制御を行い、ＰＣ２０８から印刷部数下限値参照の要求を受けるとＰＣ２０８からの印刷部数下限値参照を受け付ける。
【０１３３】
サーバ２０３内のメモリ２０６は、印刷可否の判断指標となる値の印刷部数下限値を記憶する。
【０１３４】
職員室２１５内のプリンタ（プリンタＺ）２０７は、ＰＣ２０８からの印刷ジョブを受信し、受信した印刷ジョブの印刷を行なう。
【０１３５】
職員室２１５内の印刷依頼装置であるＰＣ２０８は、ネットワークＩ／Ｆ２０９、制御部２１０、表示部２１１を備え、印刷依頼が行われた際にはサーバ２０３のメモリ２０６が記憶する印刷部数下限値を参照して行なわれた印刷依頼の印刷可否を判断する。
【０１３６】
また、ＰＣ２０８には、プリンタ（プリンタＺ）２０７、プリンタ（プリンタＡ）２２１、プリンタ（プリンタＢ）２３１、プリンタ（プリンタＣ）２４１のプリンタドライバがインストールされており、それぞれのプリンタで印刷できる印刷ジョブが作成される。
【０１３７】
ＰＣ２０８内の制御部２１０は、ＰＣ２０８の統括的な制御を行い、ＰＣ２０８で作成された印刷ジョブの印刷可否の判断をサーバ２０３から参照する印刷部数下限値に基づいて行なう。
【０１３８】
ＰＣ２０８内の表示部２１１は、ＰＣ２０８で作成された印刷ジョブが印刷不可能と判断された場合に、警告メッセージをユーザに表示する。
【０１３９】
教室（教室Ａ）２２０内のプリンタ（プリンタＡ）２２１、教室（教室Ｂ）２３０内のプリンタ（プリンタＢ）２３１、教室（教室Ｃ）２４０内のプリンタ（プリンタＣ）２４１はネットワーク２０２に接続されており、職員室２１５内のＰＣ２０８から送信された印刷ジョブを受信すると印刷を行なう。
【０１４０】
このように構成される印刷制御システム２００では、ＰＣ２０８において作成された印刷ジョブは、ＰＣ２０８の制御部２１０がサーバ２０３が記憶する印刷部数下限値を参照して、印刷ジョブで指定されたプリンタでの印刷可否が制御部２１０で判定され、印刷不可能な場合には表示部２１１に警告メッセージが表示され、印刷可能な場合には印刷ジョブが指定のプリンタに送信されて印刷が行なわれる。
【０１４１】
次に、職員室２１５内のサーバ２０３のメモリ２０６が記憶する印刷部数下限値について図１０を参照して説明を行なう。
【０１４２】
図１０は、職員室２１５内のサーバ２０３のメモリ２０６が記憶する印刷部数下限値について数種類のパターンを示した表であり、図１０（ａ）はプリンタ名毎に設定される印刷部数下限値を記憶する表であり、図１０（ｂ）は教室名毎に設定される印刷部数下限値を記憶する表であり、図１０（ｃ）は教師名毎に設定される印刷部数下限値を記憶する表であり、図１０（ｄ）はＰＣ名毎に設定される印刷部数下限値を記憶する表であり、図１０（ｅ）は教室名と教師名との組み合わせが書かれてその組み合わせ毎に設定される印刷部数下限値を記憶する表である。
【０１４３】
印刷部数下限値とは、印刷ジョブに記された印刷部数が印刷部数下限値以上である場合は下限値を上回っているので印刷可能と判断され、印刷ジョブに記された印刷部数がその印刷部数下限値未満である場合には印刷不可能であると判断される、印刷可否の判断指標となる値である。
【０１４４】
図１０（ａ）に示すように、サーバ２０３のメモリ２０６には、プリンタ名毎に印刷部数下限値が記憶される場合があり、ＰＣ２０８は図１０（ａ）に示す印刷部数下限値が記された表を参照する。
【０１４５】
また、図１０（ｂ）に示すように、サーバ２０３のメモリ２０６に記憶される印刷部数下限値は教室名毎に記憶されるパターンであってもよいが、メモリ２０６で記憶される印刷部数下限値がこのパターンを取る場合には、印刷部数下限値を参照するＰＣ２０８は教室名とプリンタ名との対応表を備える。
【０１４６】
また、図１０（ｃ）に示すようにサーバ２０３のメモリ２０６に記憶される印刷部数下限値は教師名毎に記憶されるパターンであってもよい。
【０１４７】
このように教師名毎に印刷部数下限値が記憶される場合には、印刷部数下限値に基づいて印刷可否の判断を行なうＰＣ２０８の制御部２１０は、メモリ２０６に記憶される印刷部数下限値を参照して、ＰＣ２０８のログインユーザ名と教師名とを比較し、ＰＣ２０８で作成される印刷ジョブの印刷部数下限値を取得する。
【０１４８】
また、図１０（ｄ）に示すように、サーバ２０３のメモリ２０６に記憶される印刷部数下限値はＰＣ名毎に記憶されるパターンであってもよく、印刷ジョブが作成されて印刷ジョブの送信が行なわれるＰＣの名前毎に印刷部数下限値が記憶される。
【０１４９】
図１０（ｄ）に示す表が使用されるのは、ネットワーク２０２に複数のＰＣが接続されている場合に都合がよい。
【０１５０】
また、図１０（ｅ）に示すように、サーバ２０３のメモリ２０６に記憶される印刷部数下限値は、教室名と教師名との組み合わせによって確定するように記憶される場合もあり、このように記憶された場合には、ＰＣ２０８の制御部２１０で印刷可否が判断される際に、作成された印刷ジョブの出力先であるプリンタが配置される教室名と印刷ジョブの作成が行なわれたログインユーザ名との組み合わせによって図１０（ｅ）に示す印刷部数下限値が記された表を制御部２１０が参照した結果に基づいて、制御部２１０によって該当する印刷情報下限値が取得される。
【０１５１】
このように印刷部数下限値が教室名と教師名との組み合わせの形式が取られる場合には、印刷部数下限値を参照するＰＣ２０８は教室名とプリンタ名との対応表を備える。
【０１５２】
このようにサーバ２０３のメモリ２０６に記憶される印刷情報下限値は、数種類のパターンがある。
【０１５３】
本実施例では、メモリ２０６には、図１０（ａ）に示すようにプリンタ名毎に印刷部数下限値が記されたパターンで印刷情報下限値が記憶されるものとする。
【０１５４】
そして、サーバ２０３は、ＰＣ２０８から印刷情報下限値の参照要求を受信すると、メモリ２０６に記憶する印刷情報下限値をＰＣ２０８に参照させるためにネットワークＩ／Ｆ２０４を通じてＰＣ２０８と情報の授受を行う。
【０１５５】
次に、ＰＣ２０８で作成された印刷ジョブの印刷可否判定が行なわれる処理について図１１を参照して説明を行なう。
【０１５６】
図１１は、ＰＣ２０８で作成された印刷ジョブの印刷可否判定が行なわれる処理について示したフローチャートである。
【０１５７】
ＰＣ２０８では、ユーザが印刷させる出力先を決定してＰＣ２０８内にインストールされたプリンタドライバを使用して印刷ジョブの作成を行なう（ステップ１１０１）。
【０１５８】
そして、印刷ジョブが作成されてユーザによって印刷依頼が行われると（ステップ１１０２）、制御部２１０はサーバ２０３内のメモリ２０６が記憶する印刷情報下限値を参照する（ステップ１１０３）。
【０１５９】
ＰＣ２０８の制御部２１０は、サーバ２０３の印刷部数下限値が記された表を参照すると、参照した印刷部数下限値が記された表に基づいて印刷可否を判断する為に、ステップ１１０１で作成された印刷ジョブに記された印刷させる出力先のプリンタ名を取得して、表に記載されるプリンタ名より出力先の印刷部数下限値を取得する（ステップ１１０４）。
【０１６０】
印刷部数下限値が取得されると、制御部２１０は、該印刷ジョブの印刷部数と取得した印刷部数下限値とを比較して（ステップ１１０５）、該印刷ジョブの印刷部数が取得した印刷部数下限値以上であれば印刷可能であると判断して、また、該印刷ジョブの印刷部数が取得した印刷部数下限値未満であれば印刷不可能であると判断する。
【０１６１】
比較の結果、印刷ジョブの印刷部数が印刷部数下限値以上であって印刷可能だと判断されると（ステップ１１０６でＹＥＳ）、印刷ジョブをジョブに記された出力先のプリンタに送信し（ステップ１１０７）、送信されたプリンタで印刷が行われる。
【０１６２】
また、比較の結果、印刷ジョブの印刷部数が印刷部数下限値未満であって印刷不可能だと判断されると（ステップ１１０６でＮＯ）、表示部２１１に印刷不可能である内容の警告メッセージを表示してユーザに知らせ、印刷ジョブの送信は行なわれない（ステップ１１０８）。
【０１６３】
例えば、サーバ２０３から参照した印刷部数下限値の内容が図６（ａ）に示すようにプリンタ（プリンタＡ）２２１の印刷部数下限値が３０部と記憶されていて、印刷ジョブとしてＰＣ２０８からプリンタ（プリンタＡ）２２１に対して１部印刷する印刷依頼が行われた場合には、指定された印刷部数が１部であって印刷部数下限値の３０部未満であるので、印刷ジョブの送信は行われず表示部２１１に警告メッセージが表示される。
【０１６４】
そして、職員室２１５内のプリンタ（プリンタＺ）２０７で印刷部数下限値を１と設定しておけば、５部といった少数部数の印刷ジョブはプリンタ（プリンタＺ）２０７より出力可能となるが、反対に教室内のプリンタ（プリンタＡ）２２１、プリンタ（プリンタＢ）２３１、プリンタ（プリンタＣ）２４１の印刷部数下限値を３０部と設定しておけば、１部といった少数部数の印刷ジョブは教室内のプリンタには送信されないようにできる。
【０１６５】
このように設定することで、教師が職員室２１５から事務処理の為に名簿等を１部プリンタ（プリンタＺ）２０７から印刷するつもりで間違って教室内のプリンタを指定してしまい教室内のプリンタから印刷出力させてしまうという誤印刷を防止することができる。
【産業上の利用可能性】
【０１６６】
この発明は、教師がいる職員室と生徒がいる教室というように区別された場所での印刷制御システムにおいて利用可能である。
【０１６７】
この発明によれば、予め設定された部数未満だと印刷出力或いは印刷ジョブの送信を行わないようにして、少数部数の印刷ジョブを間違って指定のプリンタで印刷出力させないようにすることができる。
【図面の簡単な説明】
【０１６８】
【図１】印刷制御システム１の概略を示す構成図。
【図２】プリンタ５１内のメモリ５４が記憶する印刷部数下限値の表について数種類のパターンを示した図。
【図３】教室内のプリンタ５１で行なわれる処理を示したフローチャートである。
【図４】教室内のプリンタのメモリ２４、３４、４４に記憶される印刷部数下限値が更新される処理を示した概念図。
【図５】印刷制御システム１００の概略を示す構成図である。
【図６】ＰＣ１０５のメモリ１０８が記憶する印刷部数下限値の表について数種類のパターンを示した図。
【図７】ＰＣ１０５で印刷ジョブが送信される際に行なわれる印刷可否の判断処理について示したフローチャート。
【図８】ＰＣ１０５のメモリ１０８に記憶される印刷部数下限値が更新される処理を示した概念図。
【図９】印刷制御システム２００の概略を示す構成図。
【図１０】サーバ２０３のメモリ２０６が記憶する印刷部数下限値の表について数種類のパターンを示した図。
【図１１】印刷制御システム２００のＰＣ２０８で行なわれる処理を示したフローチャート。
【符号の説明】
【０１６９】
１    印刷制御システム
２    ネットワーク
３    サーバ
４    プリンタＺ
５    パーソナルコンピュータ
１０    職員室
２０    教室Ａ
２１    プリンタＡ
２２、３２、４２    ネットワークＩ／Ｆ
２３、３３、４３    制御部
２４、３４、４４    メモリ
３０    教室Ｂ
４０    教室Ｃ
１００    印刷制御システム
１０２    ネットワーク
１０３    サーバ
１０４    プリンタＺ
１０５    パーソナルコンピュータ
１０６    ネットワークＩ／Ｆ
１０７    制御部
１０８    メモリ
１０９    表示部
１１０    職員室
１２０    教室Ａ
１２１    プリンタＡ
１３０    教室Ｂ
１３１    プリンタＢ
１４０    教室Ｃ
１４１    プリンタＣ
２００    印刷制御システム
２０２    ネットワーク
２０３    サーバ
２０４    ネットワークＩ／Ｆ
２０５    制御部
２０６    メモリ
２０７    プリンタＺ
２０８    パーソナルコンピュータ
２０９    ネットワークＩ／Ｆ
２１０    制御部
２１１    表示部
２１５    職員室
２２０    教室Ａ
２２１    プリンタＡ
２３０    教室Ｂ
２３１    プリンタＢ
２４０    教室Ｃ
２４１    プリンタＣ
【図１】
2007286819.tif 000003
【図２】
2007286819.tif 000004
【図３】
2007286819.tif 000005
【図４】
2007286819.tif 000006
【図５】
2007286819.tif 000007
【図６】
2007286819.tif 000008
【図７】
2007286819.tif 000009
【図８】
2007286819.tif 000010
【図９】
2007286819.tif 000011
【図１０】
2007286819.tif 000012
【図１１】
2007286819.tif 000013